(57)【特許請求の範囲】
【請求項１】
少なくとも広告表示装置を含んだ広告表示システムにおいて、広告を提供する広告表示方法であって、
広告を媒介する広告媒介者のユーザＩＤおよび媒介する広告を一意に識別可能な広告情報が記憶された端末から取得した当該ユーザＩＤおよび当該広告情報を前記広告表示装置に登録する登録ステップと、
前記広告表示装置に対して、登録された前記広告情報の表示が指示された場合、記憶部に記憶された、当該表示が指示された広告情報により一意に識別可能な広告毎の、前記広告表示装置による広告の表示に伴って消費される広告ポイントに基づいて、当該表示が指示された広告情報により一意に識別可能な広告を前記広告表示装置に表示するか否か判定する表示可否判定ステップと、
前記表示可否判定ステップによって表示すると判定された広告を前記広告表示装置に表示させる表示ステップと、
前記表示ステップによって表示させた広告について、前記記憶部に記憶された広告ポイントを消費させるポイント消費ステップと、
前記表示ステップによって表示させた広告の広告情報を登録した広告媒介者の前記ユーザＩＤに対応させて、付与したポイントを前記記憶部に格納する格納ステップと、
をコンピュータが実行することを特徴とする広告表示方法。
【請求項２】
前記表示ステップは、
前記表示可否判定ステップによって表示すると判定された広告の概要データを前記広告表示装置に表示させる概要データ表示ステップと、
広告の閲覧要求に対する応答として、前記広告表示装置に広告の詳細データを表示させる詳細データ表示ステップと、を含む
ことを特徴とする請求項１に記載の広告表示方法。 
【請求項３】
前記ポイント消費ステップは、前記広告を表示させる時間帯および表示させる詳細データの種類の少なくともいずれかに応じて予め設定された広告ポイントの消費倍率を加味して、前記記憶部に記憶された広告ポイントを消費させることを特徴とする請求項１または２に記載の広告表示方法。 
【請求項４】
前記表示可否判定ステップは、さらに、前記広告表示装置が設置されている場所に基づいて、広告ＩＤに対応する広告を表示するか否か判定することを特徴とする請求項１〜３の何れか１つに記載の広告表示方法。 
【請求項５】
前記格納ステップは、前記表示可否判定ステップによって広告を表示すると判定された場合に、当該広告を一意に識別可能な広告情報に対応付けて、当該広告の広告情報を登録した広告媒介者の前記ユーザＩＤと、前記ポイント消費ステップによって消費させた広告ポイントとからなる消費履歴を前記記憶部に格納する
ことを特徴とする請求項１に記載の広告表示方法。
【請求項６】
前記格納ステップは、広告の閲覧要求元が当該広告を媒介する前記広告媒介者でない場合に、前記消費履歴を格納することを特徴とする請求項５に記載の広告表示方法。 
【請求項７】
広告を提供する広告表示装置を含んで構成される広告表示システムであって、
広告を媒介する広告媒介者のユーザＩＤおよび媒介する広告を一意に識別可能な広告情報が記憶された端末から取得した当該ユーザＩＤおよび当該広告情報を前記広告表示装置に登録する登録手段と、
各広告を一意に識別可能な広告情報に対応付けて、前記広告表示装置による広告の表示にともなって消費される広告ポイントを記憶する広告ポイント記憶手段と、
前記広告表示装置に対して、登録された前記広告情報の表示が指示された場合、前記広告ポイント記憶手段に記憶された広告ポイントに基づいて、当該表示が指示された広告情報により一意に識別可能な広告を前記広告表示装置に表示するか否か判定する表示可否判定手段と、
前記表示可否判定手段によって表示すると判定された広告を前記広告表示装置に表示させる表示制御手段と、
前記表示制御手段によって表示させた広告について、前記広告ポイント記憶手段に記憶された広告ポイントを消費させるポイント消費手段と、
前記表示制御手段によって表示させた広告の広告情報を登録した広告媒介者の前記ユーザＩＤに対応させて付与したポイントを獲得ポイント記憶手段に格納する格納手段と、
を備えたことを特徴とする広告表示システム。 
【請求項８】
少なくとも広告表示装置を含んだ広告表示システムにおいて、広告を提供する処理をコンピュータに実行させる広告表示プログラムであって、
広告を媒介する広告媒介者のユーザＩＤおよび媒介する広告を一意に識別可能な広告情報が記憶された端末から取得した当該ユーザＩＤおよび当該広告情報を前記広告表示装置に登録する登録ステップと、
前記広告表示装置に対して、登録された前記広告情報の表示が指示された場合、記憶部に記憶された広告ポイントに基づいて、当該表示が指示された広告情報により一意に識別可能な広告を前記広告表示装置に表示するか否か判定する表示可否判定ステップと、
前記表示可否判定ステップによって表示すると判定された広告を前記広告表示装置に表示させる表示ステップと、
前記表示ステップによって表示させた広告について、前記記憶部に記憶された広告ポイントを消費させるポイント消費ステップと、
前記表示ステップによって表示させた広告の広告情報を登録した広告媒介者の前記ユーザＩＤに対応させて付与したポイントを前記記憶部に格納する格納ステップと、
をコンピュータに実行させることを特徴とする広告表示プログラム。
【発明の詳細な説明】
【技術分野】
【０００１】
この発明は、広告表示方法、広告表示システム、広告表示プログラムに関する。
【背景技術】
【０００２】
従来より、店舗や商品の広告を目的として、公共の場に設置される広告表示装置がある。例えば、特許文献１では、広告の概要データを表示し、利用者による操作に応じて広告の詳細データを表示する広告表示装置が開示されている。なお、広告を表示する広告表示装置は、複数の場所に設置された広告表示装置の中から広告主の任意によって選択されることが一般的であるとともに、この広告表示装置に表示される広告に対する課金は、各広告表示装置で同一の広告が表示されたときであっても、広告表示装置それぞれに徴収されることが一般的である。
【０００３】
【特許文献１】特開２００７−１８４４６号公報
【発明の開示】
【発明が解決しようとする課題】
【０００４】
ところで、上記した従来の技術は、高い広告効果を得ていない場合があるという課題があった。すなわち、広告を表示する前に広告を表示したときに得られる広告効果を明確に算出する方法がないことから、広告表示装置ごとに得られる広告効果が異なることが十分に考えられる。そのため、従来の技術では、普段、広告が表示されている広告表示装置とは別の場所に設置された広告表示装置に広告が表示されたほうが、高い広告効果を得られる場合があった。
【０００５】
そこで、この広告表示方法、広告表示システム、広告表示プログラムは、上述した従来技術の課題を解決するためになされたものであり、複数の場所に設置された広告表示装置に同一の広告を表示し、高い広告効果を得る期待値を高めることが可能な広告表示方法、広告表示システム、広告表示プログラムを提供することを目的とする。
【課題を解決するための手段】
【０００６】
上述した課題を解決し、目的を達成するため、開示の広告表示方法は、少なくとも広告表示装置を含んだ広告表示システムにおいて、各広告の概要データと、各広告の詳細データとを前記広告表示装置に表示させて、広告を提供する広告表示方法であって、広告を表示する広告表示権が与えられた表示権者が所持する端末から、前記広告表示権によって表示可能な広告を示す広告情報を前記広告表示装置が取得した場合に、記憶部に記憶された、該広告情報により一意に識別可能な広告毎の、前記広告表示装置による広告の表示に伴って消費される広告ポイントに基づいて該広告情報により一意に識別可能な広告を前記広告表示装置に表示させるべきか否か判定する表示可否判定ステップと、前記表示可否判定ステップによって表示させるべきであると判定された広告の概要データを前記広告表示装置に表示させる概要データ表示ステップと、広告の閲覧要求に対する応答として、前記広告表示装置に広告の詳細データを表示させる詳細データ表示ステップと、前記概要データ表示ステップ、および、前記詳細データ表示ステップの少なくともいずれかによって表示させた広告について、前記記憶部に記憶された広告ポイントを消費させるポイント消費ステップとをコンピュータが実行することを要する。
【０００７】
また、上記の広告表示方法において、前記ポイント消費ステップは、前記広告を表示させる時間帯および表示させる詳細データの種類の少なくともいずれかに応じて予め設定された広告ポイントの消費倍率を加味して、前記記憶部に記憶された広告ポイントを消費させる。
【０００８】
また、上記の広告表示方法において、前記表示可否判定ステップは、さらに、前記広告表示装置が設置されている場所に基づいて、前記広告ＩＤに対応する広告を表示させるべきか否か判定する。
【０００９】
また、上記の広告表示方法において、前記表示可否判定ステップによって広告を表示させるべきであると判定された場合に、当該広告を一意に識別可能な広告情報に対応付けて、前記表示権者を特定する表示権者ＩＤを記憶部に格納する表示権者ＩＤ格納ステップと、前記概要データ表示ステップおよび詳細データ表示ステップの少なくともいずれかによって表示させた広告について、前記記憶部に該広告に対応付けて格納した表示権者ＩＤと、前記ポイント消費ステップによって消費させた広告ポイントとからなる消費履歴を記憶部に蓄積する消費履歴蓄積ステップとをさらにコンピュータが実行することを要する。
【００１０】
また、上記の広告表示方法において、前記消費履歴蓄積ステップは、広告の閲覧要求元が前記表示権者でない場合に、前記消費履歴を蓄積する。
【００１１】
また、開示の広告表示システムは、各広告の概要データと、各広告の詳細データとを表示して広告を提供する広告表示装置を含んで構成される広告表示システムであって、各広告を一意に識別可能な広告情報に対応付けて、前記広告表示装置による広告の表示にともなって消費される広告ポイントを記憶する広告ポイント記憶手段と、広告を表示する広告表示権が与えられた表示権者が所持する端末から、前記広告表示権によって表示可能な広告を示す広告情報を前記広告表示装置が取得した場合に、前記広告ポイント記憶手段に記憶された広告ポイントに基づいて該広告情報により一意に識別可能な広告を前記広告表示装置に表示させるべきか否か判定する表示可否判定手段と、前記表示可否判定手段によって表示させるべきであると判定された広告の概要データを前記広告表示装置に表示させる概要データ表示手段と、広告の閲覧要求に対する応答として、前記広告表示装置に広告の詳細データを表示させる詳細データ表示手段と、前記概要データ表示手段、および、前記詳細データ表示手段の少なくともいずれかによって表示させた広告について、前記広告ポイント記憶手段に記憶された広告ポイントを消費させるポイント消費手段とを備えることを要する。
【００１２】
また、開示の広告表示プログラムは、少なくとも広告表示装置を含んだ広告表示システムにおいて、各広告の概要データと、各広告の詳細データとを前記広告表示装置に表示させて、広告を提供する処理をコンピュータに実行させる広告表示プログラムであって、広告を表示する広告表示権が与えられた表示権者が所持する端末から、前記広告表示権によって表示可能な広告を示す広告情報を前記広告表示装置が取得した場合に、記憶部に記憶された広告ポイントに基づいて該広告情報により一意に識別可能な広告を前記広告表示装置に表示させるべきか否か判定する表示可否判定ステップと、前記表示可否判定ステップによって表示させるべきであると判定された広告の概要データを前記広告表示装置に表示させる概要データ表示ステップと、広告の閲覧要求に対する応答として、前記広告表示装置に広告の詳細データを表示させる詳細データ表示ステップと、前記概要データ表示ステップ、および、前記詳細データ表示ステップの少なくともいずれかによって表示させた広告について、前記記憶部に記憶された広告ポイントを消費させるポイント消費ステップとをコンピュータに実行させることを要する。
【発明の効果】
【００１３】
開示の広告表示方法、広告表示システム、広告表示プログラムによれば、複数の場所に設置された広告表示装置に同一の広告を表示し、高い広告効果を得る期待値を高めることが可能である。
【発明を実施するための最良の形態】
【００１４】
以下に添付図面を参照して、この発明に係る広告表示方法、広告表示システム、広告表示プログラムの実施例を詳細に説明する。なお、以下では、広告表示システムに本発明を適用した場合を説明する。
【実施例１】
【００１５】
以下の実施例１では、実施例１に係る広告表示システムの概要および特徴、広告表示システムの構成、広告表示システムの処理を順に説明し、最後に実施例１の効果を説明する。
【００１６】
［実施例１に係る広告表示システムの概要および特徴］
まず最初に、図１および図２を用いて実施例１に係る広告表示システムの概要および特徴を説明する。図１および図２は、実施例１に係る広告表示システムの概要および特徴を説明するための図である。
【００１７】
実施例１に係る広告表示システムは、各広告を一意に識別可能な概要データと、各広告の詳細データとを広告表示装置に表示させて広告を提供することを概要とし、複数の場所に設置された広告表示装置に同一の広告を表示し、高い広告効果を得る期待値を高めることを主たる特徴とする。
【００１８】
すなわち、実施例１に係る広告表示システムは、図１に示すように、端末装置１０と、管理データベース２０と、複数の場所に設置された広告表示装置３０ａ〜３０ｃと、制御装置４０とを含んで構成される。
【００１９】
このうち、端末装置１０は、広告を表示する広告表示権が与えられた表示権者によって所持されたものであり、端末装置１０には、図１に示すように、広告表示権によって表示可能な広告を示す広告ＩＤが記憶されている。
【００２０】
また、管理データベース２０には、図１および図２に示すように、各広告を特定する広告ＩＤに対応付けて、広告表示装置３０ａ〜３０ｃによる広告の表示制御にともなって消費される広告ポイントが保持されている。
【００２１】
このような前提の下、制御装置４０は、例えば、図１の（１−１）に示すように、広告表示装置３０ａを介して端末装置１０に記憶されている広告ＩＤ「０２」を取得した場合に、図１の（１−２）に示すように、管理データベース２０に利用可能な広告ポイントが残存しているか否かを判定することで、広告ＩＤ「０２」に対応する広告を広告表示装置３０ａに表示させるべきか否か判定する。
【００２２】
ここで、表示させるべきであると判定した場合に、制御装置４０は、図１の（１−３）に示すように、広告ＩＤ「０２」に対応する広告の概要データを広告表示装置３０ａに表示させる。
【００２３】
一方で、広告表示装置３０ａは、図２の（２−１）に示すように、広告ＩＤ「０２」に対応する広告の閲覧要求を受け付けた場合に、その応答として、図２の（２−２）に示すように、広告ＩＤ「０２」に対応する広告の詳細データを表示させるとともに、図２の（２−３）に示すように、広告ＩＤ「０２」の広告ポイントの消費を制御装置４０依頼し、広告ポイントを消費させる。
【００２４】
このようなことから、実施例１に係る広告表示システムは、上記した主たる特徴のごとく、複数の場所に設置された広告表示装置に広告を表示し、高い広告効果を得る期待値を高めることが可能である。
【００２５】
［広告表示システムの構成］
次に、図３および図４を用いて、図１および図２に示した広告表示システムの構成を説明する。図３は、広告表示システムの構成を示すブロック図である。図４は、広告ポイント記憶部に記憶される情報の一例を示した図である。図３に示すように、この広告表示システムは、端末装置１０と、管理データベース２０と、広告表示装置３０ａ〜３０ｃと、制御装置４０とを含んで構成される。
【００２６】
（端末装置）
端末装置１０は、例えば、ＩＣカードや、ＩＣカード機能を備えた携帯電話などであり、リーダライタを介してやり取りされる種々の情報を保持する。具体的には、端末装置１０は、ＩＣカードインターフェイス１１と、広告ＩＤ記憶部１２とを備える。
【００２７】
ＩＣカードインターフェイス１１は、リーダライタとの間でやり取りされる情報を入出力し、広告ＩＤ記憶部１２は、広告表示権によって表示可能な広告を示す広告ＩＤを記憶する。
【００２８】
ここで、「広告表示権」とは、広告主からユーザに付与され、広告を広告表示装置に表示させることができる権利であり、広告表示権が与えられたユーザが所持する端末に、広告表示権によって表示させることが可能な広告を示す広告ＩＤ（例えば、広告ＩＤ「０２」）が格納される。
【００２９】
（管理データベース）
管理データベース２０は、各広告を管理するための情報を記憶し、特に本発明に密接に関連するものとしては、広告データベース２１と、広告ポイント記憶部２２とを備える。
【００３０】
広告データベース２１は、広告表示装置３０ａ〜３０ｃで表示される概要データおよび詳細データを記憶する。なお、広告データベース２１に記憶される概要データおよび詳細データは、広告を管理して運営する広告管理事業者と、広告主との間で広告契約が行われた際に格納される。
【００３１】
広告ポイント記憶部２２は、各広告を特定する広告ＩＤに対応付けて、広告表示装置３０ａ〜３０ｃによる広告の表示制御にともなって消費される広告ポイントを記憶する。具体的には、広告ポイント記憶部２２は、図４に示すように、広告ＩＤごとに、広告ポイント上限と、消費済広告ポイントとを対応付けて記憶する。
【００３２】
ここで、「消費済広告ポイント」とは、広告の表示制御にともなって累積加算される数値である。また、「広告ポイント上限」とは、広告を表示すべきか否かを判定するための閾値であり、広告管理事業者と、広告主との間で広告契約が行われた際に、課金に応じた数値が格納される。
【００３３】
（広告表示装置）
広告表示装置３０ａ〜３０ｃは、それぞれ制御装置４０と通信可能な状態で接続され、各々に登録された広告を表示させて広告を提供する。なお、広告表示装置３０ａ〜３０ｃは、入出力部３１と、リーダライタ３２と、広告データ記憶部３３と、通信処理部３４と、概要データ表示制御部３５と、詳細データ表示制御部３６とを各々備えた同一の構成からなり、同一の処理をそれぞれ実行するものとし、以下では広告表示装置３０ａの各構成要素について説明する。
【００３４】
入出力部３１は、各種の情報を入出力する。具体的には、入出力部３１は、操作ボタン、タッチパネル、モニタ、ディスプレイ、スピーカ、マイクなどを備えて構成され、例えば、入出力部３１は、各広告を一意に識別可能な概要データおよび各広告の詳細データを表示することや、広告の閲覧要求を受け付ける。
【００３５】
リーダライタ３２は、端末装置１０との間でやり取りされる情報を入出力する。例えば、端末装置１０が広告表示装置３０ａにかざされたときに、端末装置１０から広告ＩＤを取得する。
【００３６】
広告データ記憶部３３は、広告表示装置３０ａ〜３０ｃ各々に登録された広告の概要データおよび詳細データを記憶する。なお、広告データ記憶部３３に記憶される情報は、広告表示装置３０ａ〜３０ｃ各々が制御装置４０から受信した情報である。
【００３７】
通信処理部３４は、制御装置４０との間でやり取りされる情報を通信処理する。具体的には、通信処理部３４は、端末装置１０から広告ＩＤを取得した場合に、制御装置４０に対して広告ＩＤを含んだ登録要求を送信する。そして、通信処理部３４は、登録要求に対する応答として、登録できない旨を受け付けた場合に、入出力部３１を介して広告を登録できない旨を出力する。
【００３８】
概要データ表示制御部３５は、登録された概要データを表示させる。例えば、概要データ表示制御部３５は、広告データ記憶部３３に記憶されている各広告の概要データを表示制御する。
【００３９】
詳細データ表示制御部３６は、広告の閲覧要求に対する応答として、広告の詳細データを表示させる。具体的には、詳細データ表示制御部３６は、入出力部３１を介して広告の閲覧要求を受け付けた場合に、広告データ記憶部３３に記憶されている詳細データを表示制御するとともに、詳細データを表示制御した広告の広告ＩＤを含んだ広告ポイントの消費依頼を通信処理部３４を介して制御装置４０に送信する。
【００４０】
（制御装置）
制御装置４０は、広告表示装置３０ａ〜３０ｃで表示される広告を管理する。特に本発明に密接に関連するものとしては、登録可否判定部４１と、広告ポイント更新部４２と、を備える。
【００４１】
登録可否判定部４１は、広告ポイントに基づいて広告ＩＤに対応する広告を広告表示装置３０ａ〜３０ｃに表示させるか否か判定する。具体的には、登録可否判定部４１は、広告表示装置３０ａから広告ＩＤを含んだ登録要求を受け付けた場合に、広告ポイント記憶部２２を参照し、登録要求に含まれた広告ＩＤに対応する消費済広告ポイントが広告ポイント上限未満であるか否かを確認する。
【００４２】
ここで、登録可否判定部４１は、消費済広告ポイントが広告ポイント上限未満であると判定した場合に、登録要求に含まれた広告ＩＤに対応する概要データおよび詳細データを広告表示装置３０ａに対して送信し、広告データ記憶部３３に格納させる。
【００４３】
一方では、登録可否判定部４１は、消費済広告ポイントが広告ポイント上限以上であると判定した場合や、登録要求に含まれた広告ＩＤが記憶されていない場合には、登録要求についての広告を登録できない旨を広告表示装置３０ａに対して送信する。
【００４４】
広告ポイント更新部４２は、広告ポイントを消費させる。具体的には、広告ポイント更新部４２は、広告表示装置３０ａから広告ＩＤを含んだ広告ポイントの消費依頼を受け付けた場合には、広告ポイント記憶部２２に記憶されている消費済広告ポイントにポイント（例えば、「１ｐ」）を加算して更新する。
【００４５】
［広告表示システムの処理］
次に、図５〜図８を用いて、広告表示システムにおける処理の流れを、広告表示装置３０による広告登録処理、制御装置４０による広告登録処理、広告表示装置３０による詳細データ表示処理、制御装置４０による広告ポイント消費処理の順に説明する。
【００４６】
図５は、広告表示装置による広告登録処理の流れを示すフローチャート図である。図６は、制御装置による広告登録処理の流れを示すフローチャート図である。図７は、広告表示装置による詳細データ表示処理の流れを示すフローチャート図である。図８は、制御装置による広告ポイント消費処理の流れを示すフローチャート図である。
【００４７】
まず、図５を用いて、広告表示装置３０による広告登録処理の流れを説明する。図５に示すように、端末装置１０から広告ＩＤを取得すると（ステップＳ１００１肯定）、広告表示装置３０は、制御装置４０に対して広告ＩＤを含んだ登録要求を送信する（ステップＳ１００２）。
【００４８】
その後、広告表示装置３０は、登録要求に含まれた広告ＩＤに対応する概要データおよび詳細データを制御装置４０から受信して広告データ記憶部３３に格納した、もしくは、登録要求に対する応答として、登録できない旨を受け付けて出力した場合に（ステップＳ１００３肯定）、広告登録処理を終了する。
【００４９】
次に、図６を用いて、制御装置４０による広告登録処理の流れを説明する。図６に示すように、広告表示装置３０ａから広告ＩＤを含んだ登録要求を受け付けると（ステップＳ２００１肯定）、制御装置４０は、登録要求に含まれた広告ＩＤに対応する消費済広告ポイントが広告ポイント上限未満であるか否かを確認する（ステップＳ２００２）。
【００５０】
ここで、消費済広告ポイントが広告ポイント上限未満であると判定した場合に（ステップＳ２００２肯定）、制御装置４０は、登録要求に含まれた広告ＩＤに対応する概要データおよび詳細データを広告表示装置３０ａに送信して（ステップＳ２００３）、広告登録処理を終了する。
【００５１】
一方では、消費済広告ポイントが広告ポイント上限以上であると判定した場合や、登録要求に含まれた広告ＩＤが記憶されていない場合に（ステップＳ２００２否定）、制御装置４０は、登録要求についての広告を登録できない旨を広告表示装置３０ａに対して送信して（ステップＳ２００４）、広告登録処理を終了する。
【００５２】
次に、図７を用いて、広告表示装置３０による詳細データ表示処理の流れを説明する。図７に示すように、広告の閲覧要求を受け付けると（ステップＳ３００１肯定）、広告表示装置３０は、詳細データを表示制御する（ステップＳ３００２）。
【００５３】
続いて、広告表示装置３０は、制御装置４０に広告ＩＤを含んだ広告ポイントの消費依頼を送信して（ステップＳ３００３）、詳細データ表示処理を終了する。
【００５４】
次に、図８を用いて、制御装置４０による広告ポイント消費処理の流れを説明する。図８に示すように、広告表示装置３０ａから広告ＩＤを含んだ広告ポイントの消費依頼を受け付けると（ステップＳ４００１肯定）、制御装置４０は、広告ポイントを消費させて（ステップＳ４００２）、広告ポイント消費処理を終了する。
【００５５】
［実施例１の効果］
上記したように、実施例１によれば、複数の場所に設置された広告表示装置に同一の広告を表示し、高い広告効果を得る期待値を高めることが可能である。例えば、実施例１によれば、複数の広告表示装置で広告の概要データを表示した場合には、広告が閲覧される可能性を高めることができ、高い広告効果を得る期待値を高めることができる。
【００５６】
また、実施例１によれば、総広告費を保持しつつ、広告表示者を通して、効果ある場所での広告表示が期待できる。
【００５７】
また、実施例１によれば、広告を管理する広告管理事業者にとって、広告の閲覧要求に応じた課金を広告主から徴収すればよいので、広告表示装置を設置する場所に応じた課金を設定する手間を省くことができる、広告効果に応じた課金を設定することができるという効果を奏する。
【００５８】
また、実施例１によれば、広告主にとって、高い広告効果を得ることができる広告表示装置を探すために、事前に調査をする手間を省くことができるという効果を奏する。
【実施例２】
【００５９】
実施例２では、実施例１に係る広告表示システムを用いた、より具体的な一実施形態を説明する。なお、実施例２では、実施例２に係る広告表示システムの構成、実施例２の効果を順に説明する。なお、以下では、広告表示権が与えられたユーザを「広告媒介者」と表し、広告を閲覧するユーザを「広告閲覧者」と表す。
【００６０】
［実施例２に係る広告表示システムの構成］
実施例２に係る広告表示システムは、実施例１に係る広告表示システムと同様に、端末装置１０と、管理データベース２０と、広告表示装置３０ａ〜３０ｃと、制御装置４０とを含んで構成され、以下では、実施例１に係る広告表示システムと異なる点について説明する。
【００６１】
（端末装置）
まず、端末装置１０の構成を説明するが、実施例２では、図９〜図１１を用いて、端末装置１０を携帯電話１１０に適用した場合を説明する。なお、図９は、携帯電話の構成を示すブロック図である。図１０は、個人情報記憶部に記憶される情報の一例を示した図である。図１１は、広告ＩＤ記憶部に記憶される情報の一例を示した図である。
【００６２】
端末装置１０としての携帯電話１１０は、図９に示すように、入力部１１１と、出力部１１２と、通信部１１３と、表示部１１４と、ＩＣカードインターフェイス１１５と、記憶部１１６と、処理部１１７とを備えて構成される。
【００６３】
入力部１１１は、操作ボタン、マイクなどを備えて構成され、各種の情報を入力する。また、出力部１１２は、スピーカなどを備えて構成され、各種の情報を出力する。また、通信部１１３は、電話機能を実行する。
【００６４】
表示部１１４は、モニタ、ディスプレイなどを備えて構成され、各種の情報を表示する。また、ＩＣカードインターフェイス１１５は、リーダライタとの間でやり取りされる情報を入出力する。
【００６５】
記憶部１１６は、処理部１１７による各種処理に必要なデータおよびプログラムを格納する。具体的には、広告閲覧者が所持する携帯電話１１０は、図９の（Ａ）に示すように、個人情報記憶部１１６ａを備えて構成され、広告媒介者が所持する携帯電話１１０は、図９の（Ｂ）に示すように、個人情報記憶部１１６ａと、広告ＩＤ記憶部１１６ｂとを備えて構成される。
【００６６】
個人情報記憶部１１６ａは、図１０に示すように、ユーザＩＤや、性別、年齢などの個人情報を記憶する。また、広告ＩＤ記憶部１１６ｂは、図１１に示すように、広告ＩＤと、広告を表示させることができる場所を示した登録可能地域と、獲得ポイントとを記憶する。ここで、「獲得ポイント」とは、広告を表示することによって広告主が得た利益の一部を、広告媒介者が広告表示装置に広告を表示させた行為に対して還元するために用いるポイントである。
【００６７】
処理部１１７は、ＯＳ（Operating System）などの制御プログラム、各種の処理手順などを規定したプログラムおよび所要データを格納するための内部メモリを有し、これらによって種々の処理を実行する。具体的には、処理部１１７は、記憶部１１６に記憶されている情報の読み書きを実行し、表示部１１４に情報を表示制御する。
【００６８】
（管理データベース）
次に、図１２〜図１４を用いて、実施例２に係る管理データベース２０の構成を説明する。図１２は、実施例２に係る管理データベースの構成を示すブロック図である。図１３は、実施例２に係る広告ポイント記憶部に記憶される情報の一例を示した図である。図１４は、ポイント履歴記憶部に記憶される情報の一例を示した図である。
【００６９】
実施例２に係る管理データベース２０は、図１２に示すように、ポイント履歴記憶部２３をさらに備える他は、実施例１に係る管理データベース２０と以下に説明する点が異なる。
【００７０】
広告ポイント記憶部２２は、図１３に示すように、広告主ごとに、広告ＩＤと、表示場所と、広告ポイント上限と、消費済広告ポイントと、広告の種類とを対応付けて記憶する。ここで、「表示場所」とは、広告が表示される場所を制限するための情報である。
【００７１】
ポイント履歴記憶部２３は、図１４に示すように、時刻と、広告ＩＤと、ユーザＩＤと、表示形態と、獲得ポイントとを対応付けてなるポイント履歴を記憶する。
【００７２】
ここで、「時刻」とは、各表示履歴が格納された時刻を表し、「表示形態」とは、各広告表示装置３０ａ〜３０ｃで広告が表示されたときの表示形態を表す。
【００７３】
（広告表示装置）
次に、図１５〜図２２を用いて、実施例２に係る広告表示装置３０ａ（３０ｂおよび３０ｃ）の構成を説明する。図１５は、実施例２に係る広告表示装置の構成を示した図である。図１６は、実施例２に係る広告表示装置の構成を示すブロック図である。図１７は、スケジュール記憶部に記憶される情報の一例を示した図である。図１８は、ユーザＩＤ記憶部に記憶される情報の一例を示した図である。図１９は、通信処理部による処理を説明するための図である。図２０は、時間帯テーブルに記憶される情報の一例を示した図である。図２１は、概要データ表示制御部による処理を説明するための図である。図２２は、詳細データ表示制御部による処理を説明するための図である。
【００７４】
実施例２では、図１５に示すように、広告表示装置３０ａをタッチパネル式の表示エリア、各操作ボタンおよびリーダライタ３２を備えたものとして説明する。実施例２に係る広告表示装置３０ａは、図１６に示すように、スケジュール記憶部３７と、ユーザＩＤ記憶部３８とをさらに備える他は、実施例１に係る広告表示装置３０ａと以下に説明する点が異なる。
【００７５】
スケジュール記憶部３７は、図１７に示すように、日付に対応付けて、該当する日に表示する各広告の広告ＩＤを記憶する。なお、図１７に示した斜線は、情報が格納されていないことを示す。また、ユーザＩＤ記憶部３８は、図１８に示すように、広告ＩＤに対応付けて、ユーザＩＤを記憶する。
【００７６】
通信処理部３４は、広告媒介者によってリーダライタ３２に携帯電話１１０がかざされると、スケジュール記憶部３７を参照し、図１９に示すように、携帯電話１１０に登録可能な広告の広告ＩＤと、スケジュールの空き状況とを表示させる。
【００７７】
その後、通信処理部３４は、登録する広告の広告ＩＤが選択されている状態で、再び広告媒介者によってリーダライタ３２に携帯電話１１０がかざされると、携帯電話１１０からユーザＩＤと、選択された広告ＩＤと、登録可能地域とを取得する。そして、通信処理部３４は、広告表示装置３０ａの設置された場所が登録可能地域に含まれていることを条件に、ユーザＩＤと、選択された広告ＩＤとを含んだ登録要求を制御装置４０に送信する。
【００７８】
その後、通信処理部３４は、概要データおよび詳細データが広告データ記憶部３３に格納された場合に、格納された広告の広告ＩＤを日付に対応付けてスケジュール記憶部３７に格納するとともに、ユーザＩＤを格納された広告の広告ＩＤに対応付けてユーザＩＤ記憶部３８に格納する。
【００７９】
概要データ表示制御部３５は、広告閲覧者による操作を受け付けていない場合には、スケジュール記憶部３７に記憶された情報に従って、各広告ＩＤに対応する概要データや、詳細データのダイジェストを一定時間ごとに入れ替えつつ、表示エリア全体に表示するとともに、表示した広告の広告ＩＤと、この広告ＩＤに対応付けてユーザＩＤ記憶部３８に記憶されているユーザＩＤとを含んだ広告ポイントの消費依頼を通信処理部３４を介して制御装置４０に送信し、広告ポイントを「１ｐ」消費させる。
【００８０】
なお、図２０に示すような時間帯と、倍率とを対応付けてなる時間帯テーブルをさらに記憶し、概要データ表示制御部３５は、概要データや、詳細データのダイジェストを表示した時の時間帯を広告ポイントの消費倍率として加味して広告ポイントを消費させるようにしてもよい。
【００８１】
また、概要データ表示制御部３５は、広告閲覧者によってリーダライタ３２に携帯電話１１０がかざされると、携帯電話１１０からユーザＩＤを取得するとともに、各広告のサムネイルと、操作方法とを表示エリアに出力表示する（図２１参照）。
【００８２】
詳細データ表示制御部３６は、広告閲覧者によって各広告のサムネイルが押された場合に、詳細データを表示制御する（図２２参照）とともに、詳細データを表示した広告の広告ＩＤと、この広告ＩＤに対応付けてユーザＩＤ記憶部３８に記憶されているユーザＩＤとを含んだ広告ポイントの消費依頼を通信処理部３４を介して制御装置４０に送信し、広告ポイントの「５ｐ」消費させる。
【００８３】
また、詳細データ表示制御部３６は、詳細データに含まれ、「クーポン券発行」を意味する表示エリアが広告閲覧者によって押された場合にクーポン券を発行するとともに、クーポン券を発行した広告の広告ＩＤと、この広告ＩＤに対応付けてユーザＩＤ記憶部３８に記憶されているユーザＩＤとを含んだ広告ポイントの消費依頼を通信処理部３４を介して制御装置４０に送信し、広告ポイントの「１０ｐ」消費を依頼させる。
【００８４】
なお、詳細データを表示したとき、または、クーポン券を発行したときの時間帯を広告ポイントの消費倍率として加味して広告ポイントを消費させるようにしてもよい。また、広告閲覧者の広告閲覧時間に応じて広告ポイントを消費さえるようにしてもよい。また、詳細データを表示した広告の広告ＩＤに対応付けてユーザＩＤ記憶部３８に記憶されているユーザＩＤと、概要データ表示制御部３５によって取得されたユーザＩＤとが一致する場合には、広告ポイントの消費依頼の送信を中止するようにしてもよい。さらに、1度操作広告ポイントが発生したら、一定時間（例えば５分）は同じ広告に対するポイントは発生しないようにしてもよい。連続しての広告ポイント稼ぎをしにくくする趣旨である。
【００８５】
（制御装置）
次に、実施例２に係る制御装置４０の構成を説明する。実施例２に係る制御装置４０は、実施例１に係る制御装置４０と以下に説明する点が異なる。
【００８６】
登録可否判定部４１は、ユーザＩＤと、広告ＩＤとを含んだ登録要求を受け付けると、広告ポイント記憶部２２を参照し、登録要求に含まれた広告ＩＤに対応する消費済広告ポイントが広告ポイント上限未満であることと、送信元の広告表示装置３０ａが設置された場所が登録要求に含まれた広告ＩＤに対応する表示場所に含まれることとを条件に、登録要求に含まれた広告ＩＤに対応する概要データおよび詳細データを広告表示装置３０ａに対して送信し、広告データ記憶部３３に格納させる。
【００８７】
広告ポイント更新部４２は、広告表示装置３０ａから広告ＩＤと、ユーザＩＤとを含んだ広告ポイントの消費依頼を受け付けた場合には、広告ポイントの消費依頼に含まれた広告ＩＤに対応付けて広告ポイント記憶部２２に記憶されている消費済広告ポイントにポイントを加算して更新するとともに、ポイント履歴記憶部２３に新たなるポイント履歴を格納する。
【００８８】
［実施例２の効果］
上記したように、実施例２によれば、より詳細に広告効果に応じた課金を設定することが可能である。例えば、クーポン券が発行されたときには、広告が閲覧されたときよりも多くの広告ポイントを消費させるので、広告効果が高いと考えられるクーポン券の発行に対して多くの課金を徴収することができる。広告主にとっても、効果が高い広告行為に対してより多くの費用を割り当てたことになる。
【００８９】
また、実施例２によれば、特定の地域に限定して広告効果が得られる広告が、広告効果を得られない地域で表示されて、無駄に広告ポイントが消費される危険性を排除することが可能である。
【００９０】
また、実施例２によれば、広告を表示することで得られた利益を広告媒介者に還元することが可能である。この結果、獲得ポイントに応じた景品を広告主が提供するようにすれば、広告媒介者による広告を登録する行為が促進されると考えられ、より多くの場所で広告を提供することができる。
【００９１】
また、実施例２によれば、登録した広告を広告媒介者が自ら閲覧する行為を防止することが可能である。例えば、獲得ポイントに応じた景品を目当てに、広告媒介者が自ら広告を閲覧して獲得ポイントを稼ぐ行為が行われる可能性があるが、広告の閲覧要求元が広告媒介者でない場合に獲得ポイントを蓄積させるので、獲得ポイントを稼ぐ行為を防止することができる。
【実施例３】
【００９２】
さて、これまで実施例１および実施例２について説明したが、本発明は上述した実施例以外にも、種々の異なる形態にて実施されてよいものである。そこで、以下では、実施例３として、他の実施例を説明する。
【００９３】
例えば、広告データ記憶部３３に、概要データおよび詳細データを格納する方法は、本発明を限定するものではなく、広告管理事業者が管理するＷｅｂページに広告主がアクセスし、概要データおよび詳細データを格納するようにしてもよい。
【００９４】
また、広告に対する課金の設定方法および広告管理事業者が広告主から徴収する課金の徴収方法は、本発明を限定するものではなく、例えば、首都圏に限って広告する場合の課金設定と、全国区で広告する場合の課金設定とを設けるようにしてもよい。また、広告主が提供する景品を課金として徴収するようにしてもよい。
【００９５】
また、広告の有効期限を設けるようにしてもよい。このようにすることで、広告主にとって、広告を表示したいときに限って広告を表示することができるという効果を奏する。
【００９６】
具体的に一例をあげて説明すると、広告ポイント記憶部２２に広告ＩＤに対応付けて有効期限をさらに記憶しておき、この有効期限を過ぎたときに制御装置４０が各広告表示装置３０ａ〜３０ｃに対して広告データ記憶部３３に記憶されている概要データおよび詳細データを削除させるようにすれば本発明に適用することができる。
【００９７】
また、広告が表示される表示場所の設定方法は、本発明を限定するものではなく、例えば、首都圏にある公共施設に限って広告が表示されるように表示場所を設定するようにしてもよい。
【００９８】
この表示場所の場所条件はいくつかの指標により表現し、比較するようにしてもよい。例えば、位置ジャンルとエリアという２つの指標を用意し、位置ジャンルには場所の属性（例えば、道路、駅、店内、公共施設など）、エリアには物理的な範囲（全国、首都圏、東京都内、新宿区内など）を指定できるようにし、広告データ、広告媒介者で、これらの値を設定する（どちらかいっぽう、両方、指定なし（指定なしではどこでも表示化））のどれでも化、位置ジャンルは複数指定化）ようにしてもよい。
【００９９】
また、場所条件はいくつかの指標により表現し、比較するようにしてもよい。例えば、広告表示装置（例えば、ＵＢＷＡＬＬ（登録商標））の場所指定では、位置ジャンルでは、どれに対応するか設定しておき、エリアは、広告表示装置の設置場所が、エリア条件に含まれるかどうかで判定するようにしてもよい。
【０１００】
また、端末装置１０または携帯電話１１０に広告ＩＤを格納する方法は、本発明を限定するものではなく、広告管理事業者、広告主、広告媒介者のいずれの者が広告ＩＤを格納してよい。例えば、広告主が販売する商品を広告媒介者が購入したときに、広告主が広告媒介者の所持する携帯端末１０に対して広告ＩＤを格納するようにしてもよいし、広告管理事業者や広告主が提供するクーポンなどの情報から、広告媒介者が広告ＩＤを取得して格納するようにしてもよい。
【０１０１】
また、携帯端末１０に広告ＩＤを格納する際に、概要データおよび詳細データをさらに格納するようにしてもよいし、広告ＩＤの代わりに概要データおよび詳細データを格納するようにしてもよい。
【０１０２】
また、広告データ記憶部３３に概要データおよび詳細データを格納する方法は、本発明を限定するものではなく、広告表示装置３０ａ〜３０ｃが制御装置４０を介して広告データベース２１から概要データおよび詳細データを読み込み、格納するようにしてもよい。
【０１０３】
また、登録要求としての広告ＩＤに対応する消費済広告ポイントが広告ポイント上限未満であるか否かを確認する処理は、広告表示装置３０ａ〜３０ｃが行ってもよい。具体的に一例をあげて説明すると、広告表示装置３０ａ〜３０ｃが消費済広告ポイントおよび広告ポイント上限をバッチで記憶させておき、各々の広告表示装置３０ａ〜３０ｃが確認するようにすれば本発明に適用することができる。
【０１０４】
また、広告を表示できない旨を出力する際に、広告を表示することができる広告表示装置の場所を広告媒介者に通知するようにしてもよい。具体的に一例をあげて説明すると、制御装置４０は、広告表示装置ごとに広告を表示することが可能な広告の広告ＩＤを記憶し（図２３参照）、広告表示装置３０ａ〜３０ｃを介して携帯電話１１０に広告を表示することが可能な場所を表示させるようにすれば（図２４参照）、本発明に適用することができる。なお、図２３は、制御装置による処理を説明するための図である。また、図２４は、携帯電話の表示部に表示される情報の一例を示した図である。
【０１０５】
広告ポイント記憶部２２に記憶されている情報は、各広告主に随時確認できるようにしておき、消費済広告ポイントが広告ポイント上限に近づいた際に警告を発するようにしてもよい。
【０１０６】
また、獲得ポイントを稼ぐ行為を防止するための処理として、広告媒介者によってリーダライタ３２に携帯電話１１０がかざされてから、一定時間の間（例えば、５分間）に広告の閲覧要求を受け付けた場合には、履歴記憶部２３に新たなるポイント履歴する処理を中止するようにしてもよい。
【０１０７】
また、広告閲覧者によってリーダライタ３２に携帯電話１１０がかざされた場合に、各広告の概要データをリストアップして出力表示するようにしてもよい。
【０１０８】
また、消費済広告ポイントが広告ポイント上限に達した場合に、広告表示装置３０ａ〜３０ｃの各広告データ記憶部３３に記憶されている広告の概要データおよび詳細データを削除するようにしてもよい。
【０１０９】
また、実施例１および実施例２では、詳細データが表示されるごとに広告ポイントを消費させる場合を説明したが、各広告表示装置３０ａ〜３０ｃで消費すべき広告ポイントを一定時間管理した後に、一括して広告ポイントを消費させるようにしてもよい。
【０１１０】
また、実施例１および実施例２では、広告の表示制御にともなって消費済広告ポイントにポイントが累積加算される場合を説明したが、広告ポイントの消費処理はこれに限らず、例えば、広告管理事業者と、広告主との間で広告契約が行われた際に利用可能な広告ポイントを記憶部に格納し、その後、広告の表示制御にともなって広告ポイントを減らすように広告ポイントを消費させてもよい。
【０１１１】
また、上記文書中や図面中で示した処理手順、制御手順、具体的名称、各種のデータやパラメータを含む情報（例えば、図４、図１３、図１４、図２０、図２３に示した記憶情報や図１０、図１１、図１９、図２１、図２２、図２４に示した表示例）については、特記する場合を除いて任意に変更することができる。
【０１１２】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、図３に示した概要データ表示制御部３５と、詳細データ表示制御部３６とを統合して構成することができる。
【０１１３】
さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【０１１４】
ところで、本発明はあらかじめ用意されたプログラムを広告表示システムとしてのコンピュータで実行することによって実現するようにしてもよい。そこで、以下では、図２５を用いて、上記の実施例に示した広告表示システムと同様の機能を有する広告表示プログラムを実行するコンピュータを一例として説明する。図２５は、広告表示プログラムを実行するコンピュータを示す図である。
【０１１５】
同図に示すように、広告表示システムとしてのコンピュータ１１０は、表示部１２１〜１２３、ＲＯＭ１３０、ＣＰＵ１４０、ＨＤＤ１５０およびＲＡＭ１６０をバス１８０などで接続して構成される。
【０１１６】
ＲＯＭ１３０には、上記の実施例１に示した広告表示システムと同様の機能を発揮する広告表示プログラム、つまり、図２５に示すように表示可否判定プログラム１３０ａと、広告ポイント更新プログラム１３０ｂと、通信処理プログラム１３０ｃと、概要データ表示制御プログラム１３０ｄと、詳細データ表示制御プログラム１３０ｅとが、あらかじめ記憶されている。なお、これらのプログラム１３０ａ〜プログラム１３０ｅについては、図３に示した広告表示システムの各構成要素と同様、適宜統合または、分散してもよい。
【０１１７】
そして、ＣＰＵ１４０がこれらのプログラム１３０ａ〜プログラム１３０ｅをＲＯＭ１３０から読み出して実行することで、図２５に示すように、プログラム１３０ａ〜プログラム１３０ｅは、表示可否判定プロセス１４０ａと、広告ポイント更新プロセス１４０ｂと、通信処理プロセス１４０ｃと、概要データ表示制御プロセス１４０ｄと、詳細データ表示制御プロセス１４０ｅとして機能するようになる。なお、プロセス１４０ａ〜プロセス１４０ｅは、図３に示した、表示可否判定部４１と、広告ポイント更新部４２と、通信処理部３４と、概要データ表示制御部３５と、詳細データ表示制御部３６とにそれぞれ対応する。
【０１１８】
また、ＨＤＤ１５０には、図２５に示すように、広告データ１５０ａと、広告ポイントデータテーブル１５０ｂとが設けられる。
【０１１９】
そして、ＣＰＵ１４０は、広告ポイントデータテーブル１５０ｂから、広告ポイントデータ１６０ａを読み出してＲＡＭ１６０に格納し、ＲＡＭ１６０に格納された広告ポイントデータ１６０ａに基づいて処理を実行する。
【０１２０】
なお、広告データ１６０ａは、広告ポイントデータ１６０ａは、図３に示した広告ポイント記憶部４１に対応する。
【０１２１】
なお、上記した各プログラム１３０ａ〜プログラム１３０ｅについては、必ずしも最初からＲＯＭ１３０に記憶させておく必要はなく、例えば、コンピュータ１１０に挿入されるフレキシブルディスク（ＦＤ）、ＣＤ−ＲＯＭ、ＤＶＤディスク、光磁気ディスク、ＩＣカードなどの「可搬用の物理媒体」、またはコンピュータ１１０の内外に備えられるＨＤＤなどの「固定用の物理媒体」、さらには公衆回線、インターネット、ＬＡＮ、ＷＡＮなどを介してコンピュータ１１０に接続される「他のコンピュータ（またはサーバ）」などに各プログラムを記憶させておき、コンピュータ１１０がこれから各プログラムを読み出して実行するようにしてもよい。
【０１２２】
なお、本実施例で説明した広告表示方法は、あらかじめ用意されたプログラムをパーソナルコンピュータやワークステーションなどのコンピュータで実行することによって実現することができる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【図面の簡単な説明】
【０１２３】
【図１】実施例１に係る広告表示システムの概要および特徴を説明するための図である。
【図２】実施例１に係る広告表示システムの概要および特徴を説明するための図である。
【図３】広告表示システムの構成を示すブロック図である。
【図４】広告ポイント記憶部に記憶される情報の一例を示した図である。
【図５】広告表示装置による広告登録処理の流れを示すフローチャート図である。
【図６】制御装置による広告登録処理の流れを示すフローチャート図である。
【図７】広告表示装置による詳細データ表示処理の流れを示すフローチャート図である。
【図８】制御装置による広告ポイント消費処理の流れを示すフローチャート図である。
【図９】携帯電話の構成を示すブロック図である。
【図１０】個人情報記憶部に記憶される情報の一例を示した図である。
【図１１】広告ＩＤ記憶部に記憶される情報の一例を示した図である。
【図１２】実施例２に係る管理データベースの構成を示すブロック図である。
【図１３】実施例２に係る広告ポイント記憶部に記憶される情報の一例を示した図である。
【図１４】ポイント履歴記憶部に記憶される情報の一例を示した図である。
【図１５】実施例２に係る広告表示装置の構成を示した図である。
【図１６】実施例２に係る広告表示装置の構成を示すブロック図である。
【図１７】スケジュール記憶部に記憶される情報の一例を示した図である。
【図１８】ユーザＩＤ記憶部に記憶される情報の一例を示した図である。
【図１９】通信処理部による処理を説明するための図である。
【図２０】時間帯テーブルに記憶される情報の一例を示した図である。
【図２１】概要データ表示制御部による処理を説明するための図である。
【図２２】詳細データ表示制御部による処理を説明するための図である。
【図２３】制御装置による処理を説明するための図である。
【図２４】携帯電話の表示部に表示される情報の一例を示した図である。
【図２５】広告表示プログラムを実行するコンピュータを示す図である。
【符号の説明】
【０１２４】
１０  端末装置
１１  ＩＣカードインターフェイス
１２  広告ＩＤ記憶部
２０  管理データベース
２１  広告データベース
２２  広告ポイント記憶部
２３  獲得ポイント履歴記憶部
３０ａ〜３０ｃ  広告表示装置
３１  入出力部
３２  リーダライタ
３３  広告データ記憶部
３４  通信処理部
３５  概要データ表示制御部
３６  詳細データ表示制御部
３７  スケジュール記憶部
３８  ユーザＩＤ記憶部
４０  制御装置
４１  登録可否判定部
４２  広告ポイント更新部
１１０  携帯電話
１１１  入力部
１１２  出力部
１１３  通信部
１１４  表示部
１１５  ＩＣカードインターフェイス
１１６  記憶部
１１６ａ  個人情報記憶部
１１６ｂ  広告ＩＤ記憶部
１１７  処理部
２１０  コンピュータ
２２１〜２２３  入出力部
１３０  ＲＯＭ（Read Only Memory）
１３０ａ  表示可否判定プログラム
１３０ｂ  広告ポイント更新プログラム
１３０ｃ  通信処理プログラム
１３０ｄ  概要データ表示制御プログラム
１３０ｅ  詳細データ表示制御プログラム
１４０  ＣＰＵ（Central Processing Unit）
１４０ａ  表示可否判定プロセス
１４０ｂ  広告ポイント更新プロセス
１４０ｃ  通信処理プロセス
１４０ｄ  概要データ表示制御プロセス
１４０ｅ  詳細データ表示制御プロセス
１５０  ＨＤＤ（Hard disk drive）
１５０ａ  広告データ
１５０ｂ  広告ポイントデータテーブル
１６０  ＲＡＭ（Random Access Memory）
１６０ａ  広告ポイントデータ
１８０  バス
【図１】
0005045457.tif 000002
【図２】
0005045457.tif 000003
【図３】
0005045457.tif 000004
【図４】
0005045457.tif 000005
【図５】
0005045457.tif 000006
【図６】
0005045457.tif 000007
【図７】
0005045457.tif 000008
【図８】
0005045457.tif 000009
【図９】
0005045457.tif 000010
【図１０】
0005045457.tif 000011
【図１１】
0005045457.tif 000012
【図１２】
0005045457.tif 000013
【図１３】
0005045457.tif 000014
【図１４】
0005045457.tif 000015
【図１５】
0005045457.tif 000016
【図１６】
0005045457.tif 000017
【図１７】
0005045457.tif 000018
【図１８】
0005045457.tif 000019
【図１９】
0005045457.tif 000020
【図２０】
0005045457.tif 000021
【図２１】
0005045457.tif 000022
【図２２】
0005045457.tif 000023
【図２３】
0005045457.tif 000024
【図２４】
0005045457.tif 000025
【図２５】
0005045457.tif 000026